(57)【要約】      （修正有）【課題】かき氷機の切削作用によりかき氷を作る際に原材料として使用でき、収容室内に容易に載置され、残材を減らすことが可能な円球体のかき氷球を提供する。【解決手段】かき氷球３は円球体であり、かき氷を作る際に定量分準備され、かき氷機４のかき氷ベース４５内に入れられて切削される。円球体の外表面は平滑面であってもよいし、転動を防ぐために多数のカット面を形成してもよい。【選択図】図５
0003218661.tif 000002
【実用新案登録請求の範囲】
【請求項１】
かき氷機の切削作用によりかき氷を作る際に、定量分を準備して使用されるかき氷球であって、
前記かき氷球が前記かき氷機のかき氷ベース内に入れられて切削され、
前記かき氷球は円球体であることを特徴とする、かき氷機により切削されるかき氷球。
【請求項２】
前記かき氷球は円球体であり、
前記円球体の外表面は平滑面であることを特徴とする請求項１に記載のかき氷機により切削されるかき氷球。
【請求項３】
前記かき氷球は円球体であり、
前記円球体の外表面には、多数のカット面が形成されていることを特徴とする請求項１に記載のかき氷機により切削されるかき氷球。
【考案の詳細な説明】
【技術分野】
【０００１】
本考案は、かき氷機により切削されるかき氷球に関するものであり、さらに詳しくは、かき氷機の切削作用により、かき氷を作るときに使用され容易に載置することができる上、残材を減らすこともできる円球体のかき氷球に関するものである。
【背景技術】
【０００２】
図１及び図２を参照する。図１及び図２に示すように、従来のかき氷に使用する氷１は、定量分（例えば、１人分、２人分又は３人分以上）準備して使用する。氷１は円柱状であることが一般的であり、実際に使用する際、氷１をかき氷機２のかき氷ベース２５内に入れる。かき氷機２は、伝動ベース２１の下方に設けられた回転台２２を有する。回転台２２の底端には、位置決め釘２２１が設けられる。伝動ベース２１の底端には、螺合部材２３を介して位置決めベース２４が螺着される。位置決めベース２４には、かき氷ベース２５の頂端が係合される。かき氷ベース２５は中空収容室を有する。中空収容室の上方には、開口部２５１が形成され、かき氷ベース２５の底端には、台座２６が設けられる。台座２６上には、切削刃２６１が設けられる。このように、氷１をかき氷ベース２５の開口部２５１からかき氷ベース２５の中空収容室内に入れてから、かき氷ベース２５の頂端を位置決めベース２４に固着し、スイッチ２７をオンすると回転台２２が下方へ変位し、回転台２２底端の位置決め釘２２１が押圧されて一部を氷１の頂端に伸ばし入れて氷１を位置決めし、回転台２２の旋回に伴って氷１が旋回し、氷１の底端が切削刃２６１に接触されて氷１が切削され、きめ細かなかき氷を作っていた。しかし、このような構造には、以下（１）及び（２）の欠点があった。
【０００３】
（１）図３に示すように、回転台２２が加圧されて下方へ変位し続けると、氷１をスムーズに切削してかき氷を作ることができるが、回転台２２を位置決め釘２２１から切削刃２６１までの距離が所定の距離になるまで押下してから回転台２２の動きを停めることにより、位置決め釘２２１が切削刃２６１に当たって切削刃２６１が損壊することを防いでいたが、氷１に残材１１が発生することが一般的であった。氷１が円柱状であるため、残材１１は一定の体積を有するプレート状に形成される。残材１１を継続的に使用することができないため、廃棄する必要があるため、大量の無駄が発生した。
（２）円柱状の氷１は、かき氷ベース２５の開口部２５１からかき氷ベース２５の中空収容室内に入れられる。円柱状の氷１の外径は、かき氷ベース２５の開口より小さく、ユーザが冷蔵庫から氷１を取り出して包装を開いてから、直接、氷１をかき氷ベース２５の開口から入れるとき、作業者は既に包装が開かれた裸の氷に直接触れる必要はないが、氷１をかき氷ベース２５に置く方向に特に注意しなければならず、縦向きに置かなければならない氷１を横向きに置くことを防いだり、縦向きで入れた氷１がかき氷ベース２５内で傾いてしまい、直立状にならなかったりしたときに、作業者は氷１をかき氷ベース２５内から取り出してから入れ直していたが、作業効率が良くない上、作業者が既に包装を開いた裸の氷に直接触れてしまい、氷１が汚染されることがあった。
【考案の概要】
【考案が解決しようとする課題】
【０００４】
従って、本考案の主な課題は、かき氷の製造の際に前記の通り、残材を減らし、コスト負担を減らすことができる、かき氷機により切削されるかき氷原材料を提供することにある。
本考案のもう一つの課題は、かき氷機の切削作用によりかき氷を作る際に、かき氷機の中空収容室内に容易に挿入することができ、作業効率のよい原材料を提供することにある。
【課題を解決するための手段】
【０００５】
そこで、本考案者は、前記の通りの本考案の課題を解決するため、鋭意検討を重ねた結果、かき氷機により切削することにより製造されるかき氷の原材料としてかき氷球を用いることにより本考案の課題が解決できることに着目し、かかる知見に基いて本考案に想到するに至った。
すなわち、本考案の前記の主な課題に対しては、  円球体のかき氷球を使用することにより、かき氷が完成すると、残材を減らし、コスト負担を減らすことができる、かき氷機により切削されるかき氷球を提供することにより達成することができる。
本考案のもう一つの課題に対しては、かき氷球をかき氷ベースの中空収容室内に入れるとき、かき氷球が円球体であるため、作業者はどの方向からも入れることができ、かき氷球の挿入方向を選択する必要がなく、操作し易いかき氷球を提供することにより達成することができる。
かくして、本考案の要旨は、次の（１）〜（３）に記載の通りである。
（１）かき氷を作る際に定量分準備して使用されるかき氷球であって、
前記かき氷球が前記かき氷機のかき氷ベース内に入れられて切削され、
前記かき氷球の本体は円球体であることを特徴とする、かき氷機により切削されるかき氷球。
（２）前記かき氷球は円球体であり、
前記円球体の外表面は平滑面であることを特徴とする前記（１）に記載のかき氷機により切削されるかき氷球。
（３）前記かき氷球は円球体であり、
前記円球体の外表面には、多数のカット面が形成されていることを特徴とする前記（１）に記載のかき氷機により切削されるかき氷球。
【考案の効果】
【０００６】
本考案は、前記の通りの構成からなり、後述のように、残材の頂面が円弧上であり、非プレート状であるため、残材の量が減少し、原材料について無駄な浪費を低減させることができる。また、かき氷の原材料としてかき氷球体を使用することから、かき氷機への挿入作業が制限されず、切削作業を効率よく行うことができる。 
【図面の簡単な説明】
【０００７】
【図１】図１は、従来のかき氷機を示す分解斜視図である。
【図２】図２は、従来のかき氷機の一部を示す組立断面図である。
【図３】図３は、従来のかき氷機の残材を示す説明図である。
【図４】図４は、本考案の一実施形態に係るかき氷球を用いるかき氷機を示す斜視図である。
【図５】図５は、本考案の一実施形態に係るかき氷球を用いるかき氷機を示す分解斜視図である。
【図６】図６は、本考案の一実施形態に係るかき氷球を用いるかき氷機の一部を示す組立断面図である。
【図７】図７は、本考案の一実施形態に係るかき氷球を用いるかき氷機の残材を示す説明図である。
【考案を実施するための形態】
【０００８】
以下、本考案について図面により具体的に説明する。もっとも本考案は、係る図面等により制限されるものではない。    
図４〜図６を参照する。図４〜図６に示すように、本考案の一実施形態に係るかき氷機により切削されるかき氷球は、定量分準備して使用する。かき氷球３の本体は円球体であり、かき氷球３をかき氷機４のかき氷ベース４５内に入れる。かき氷機４は、伝動ベース４１の下方に設置した回転台４２を有する。回転台４２の底端には、位置決め釘４２１が設けられる。伝動ベース４１の底端には、螺合部材４３を介して位置決めベース４４が螺着される。位置決めベース４４は、かき氷ベース４５の頂端を係合するために用いる。かき氷ベース４５は、中空収容室を有する。中空収容室の上方には、開口部４５１が形成される。かき氷ベース４５の底端には、台座４６が設けられる。台座４６には、切削刃４６１が設けられる。そのため、かき氷球３をかき氷ベース４５の開口部４５１を介してかき氷ベース４５の中空収容室内に置いてから、かき氷ベース４５の頂端を位置決めベース４４に係合し、スイッチ４７をオンすると、回転台４２が下方へ変位し、回転台４２の底端の位置決め釘４２１を押圧し、一部をかき氷球３の頂端に伸ばし入れてかき氷球３を位置決めし、回転台４２の旋回に伴ってかき氷球３が旋回し、円球体のかき氷球３の底端が切削刃４６１に接触されて切削され、きめ細かなかき氷を作ることができる。
【０００９】
上述したことから分かるように、本考案のかき氷機が切削するかき氷球は、以下（１）及び（２）の長所を有する。
（１）図７に示すように、回転台４２を加圧し続けて下向きに変位すると、かき氷球３がスムーズに切削されてかき氷が作られるが、回転台４２が押下されて位置決め釘４２１から切削刃４６１までの距離が所定の距離になると、回転台４２の作動を停めて位置決め釘４２１が切削刃４６１に接触することを防ぐため、一般的に残材３１が生じてしまうが、残材３１の頂端が円弧状であり非プレート状であるため、残材の量が減り、無駄な浪費を減らすことができる。
（２）かき氷球３をかき氷ベース４５の開口部４５１からかき氷ベース４５の中空収容室内に入れる際、かき氷球３が円球体であるため、かき氷ベース４５内に何れの面も入れることができ、得られる効果は同じである。そのため、ユーザが冷蔵庫からかき氷球３を取り出して包装を開き、直接、かき氷球３をかき氷ベース４５の開口から入れることができ、入れる際に方向及び位置を考慮する必要がないため作業効率が高く、かき氷球３を入れる方向又は位置を間違えて再び取り出す必要がないため、作業者が裸の氷にじかに触れて氷を汚染してしまう虞がない。
【００１０】
また、本考案のかき氷球３は円球体であり、円球体の外表面を平滑面にしてもよいし多数のカット面を形成してかき氷球３の表面の接触面積を増やして転動することを防いでもよい。
【符号の説明】
【００１１】
１  氷
２  かき氷機
３  かき氷球
４  かき氷機
１１  残材
２１  伝動ベース
２２  回転台
２３  螺合部材
２４  位置決めベース
２５  かき氷ベース
２６  台座
２７  スイッチ
３１  残材
４１  伝動ベース
４２  回転台
４３  螺合部材
４４  位置決めベース
４５  かき氷ベース
４６  台座
４７  スイッチ
２２１  位置決め釘
２５１  開口部
２６１  切削刃
４２１  位置決め釘
４５１  開口部
４６１  切削刃
【図１】
0003218661.tif 000003
【図２】
0003218661.tif 000004
【図３】
0003218661.tif 000005
【図４】
0003218661.tif 000006
【図５】
0003218661.tif 000007
【図６】
0003218661.tif 000008
【図７】
0003218661.tif 000009